(57)【要約】【課題】  使用周波数帯の高域において所望の特性を得る。【解決手段】  ＰＩＮダイオード２４、２６、３４、３６を含む可変減衰器５３の入力側に入力端子２０から広帯域のテレビジョン放送信号が入力される。可変減衰器５３の出力側は出力端子３０に接続されている。可変減衰器５３の共通電位点側であるＰＩＮダイオード３６のアノードが直流阻止コンデンサ５２を介してＬＣ並列共振回路５４に接続されている。この並列共振回路５４の共振周波数は、テレビジョン放送信号の高域側の所望の周波数に選択されている。【選択図】        図１
2007049355.tif 000002
【特許請求の範囲】
【請求項１】
入力側、出力側及び共通電位側にそれぞれ端子を有する減衰手段と、
この減衰手段の前記共通電位側と共通電位点との間に接続されたリアクタンス並列共振手段とを、
具備するチルト回路。
【請求項２】
請求項１記載のチルト回路において、前記入力側及び出力側間に抵抗器が接続されたチルト回路。
【請求項３】
請求項１記載のチルト回路において、前記減衰手段が定インピーダンス形の可変減衰器であるチルト回路。
【発明の詳細な説明】
【技術分野】
【０００１】
本発明は、高周波増幅器の周波数特性を調整するために設けられるチルト回路に関する。
【背景技術】
【０００２】
共同受信システム等において同軸ケーブルによって高周波信号が伝送される。同軸ケーブルの損失周波数特性は、伝送される高周波数信号の周波数の平方根に比例し、周波数が高いほど、損失が多くなる。そこで、高周波増幅器では、入力される高周波信号の高い帯域ほどレベルが大きくなるように傾斜した周波数特性を示すようにチルト回路が設けられている。このチルト回路の一例が、例えば特許文献１に開示されている。
【０００３】
特許文献１のチルト回路では、Ｔ型減衰器の入力側と出力側との間に並列に直列共振回路が接続され、Ｔ型減衰器の共通電位側と共通電位点との間に並列共振回路が接続されている。直列共振回路は、このチルト回路に供給される高周波信号の高域の或る周波数で共振するように共振周波数が選択され、並列共振回路は、このチルト回路に供給される高周波信号の低域の或る周波数で共振するように構成されている。
【０００４】
このチルト回路では、高域の或る周波数で直列共振するので、この高域の或る周波数付近の高周波信号は、殆ど減衰されることなく、入力側から出力側に伝送される。一方、並列共振回路は、低域の或る周波数で共振するので、低域の或る周波数付近の周波数の高周波信号は、Ｔ型減衰器において入力側及び出力側間に直列に接続されている抵抗器によって大きく減衰される。従って、高域の或る周波数付近から低域の或る周波数付近までの周波数の信号は、その周波数に応じて減衰される。その結果、高域側で出力レベルが高く、低域側で出力レベルが低いチルト特性を示す。
【０００５】
【特許文献１】特開２００３−２２９７９１号公報
【発明の開示】
【発明が解決しようとする課題】
【０００６】
このチルト回路では、高域側の直列共振周波数は、実際には並列共振回路の影響を受ける。同様に低域側の並列共振周波数も、実際には直列共振回路の影響を受ける。その結果、高域側から低域側に向かう傾斜した周波数特性の一部に窪みが生じる。これを回避するためには、直列共振回路の共振周波数を目標としている周波数よりも高い周波数にずらすことによって対応している。そのため、高域における目標としている周波数において所望の特性が得られないことがある。
【０００７】
本発明は、高域の目標周波数において所望の特性が得られるようにしたチルト回路を提供することを目的とする。
【課題を解決するための手段】
【０００８】
本発明によるチルト回路は、減衰手段を有している。この減衰手段は、入力側、出力側及び共通電位側にそれぞれ端子を有するもので、例えばＴ型またはπ型のものを使用することができる。この減衰手段の前記共通電位側と共通電位点との間にリアクタンス並列共振手段が接続されている。このリアクタンス並列共振手段は、例えばインダクタンス素子とコンデンサとの並列回路によって構成することができ、その並列共振周波数は、このチルト回路に供給される高周波信号の高域側における目標周波数とすることが望ましい。
【０００９】
このように構成されたチルト回路では、このチルト回路に供給される高周波信号の高域にある目標周波数の信号は、並列共振手段が共振しているので、減衰手段における入力側及び出力側の間に接続されている抵抗器によってのみ減衰される。一方、チルト回路に供給される高周波信号の低域の信号が供給されているとき、並列共振手段は共振せず、減衰手段の共通電位側を低いインピーダンスで共通電位に接続している。従って、この低域の信号は、高域の信号よりも大きく減衰される。このように高域側での減衰が少なく、低域側で減衰が大きいので、チルト特性を高周波信号に与えることができる。しかも、このチルト回路では、複数の共振手段を使用せずに、１つの並列共振手段を使用しているだけであるので、チルト特性の途中に窪み等が発生せず、並列共振手段の並列共振周波数を目標周波数からずらせる必要も無い。
【００１０】
前記減衰手段の入力側及び出力側間に抵抗器を接続することが望ましい。このように抵抗器を接続することによって、目標周波数における周波数特性を所望の値とすることができる。
【００１１】
前記減衰手段は、定インピーダンス形の可変減衰手段とすることが望ましい。このように構成すると、チルト量を変化させるように可変減衰手段を操作しても、入力側及び出力側のインピーダンスは、殆ど変化せず、チルト回路の前後の回路に悪影響を与えることがない。
【発明の効果】
【００１２】
以上のように、本発明によれば、使用周波数帯の高域の目標周波数において所望の特性を得ることができる。
【発明を実施するための最良の形態】
【００１３】
本発明の一実施形態のチルト回路２は、例えば図２に示すような共同受信システムにおける中継増幅器４に使用される。この中継増幅器４は、入力端子６を有し、これには広帯域の高周波信号、例えば約７０ＭＨｚ乃至７７０ＭＨｚのＶＨＦ帯及びＵＨＦ帯のテレビジョン放送信号が供給されている。入力端子６からのテレビジョン放送信号は、これを通過させる通過帯域を有するフィルタ、例えばハイパスフィルタ８を通過させられ、さらに増幅手段、例えば広帯域増幅器１０によって増幅され、チルト回路２に供給される。チルト回路２では、供給されたテレビジョン放送信号のうち高域側の出力レベルを高く、低域側の出力レベルを低くするチルト特性をテレビジョン放送信号に持たせる。
【００１４】
チルト回路２の出力信号は、利得調整回路１２によって利得調整された後、再び高周波増幅器１４によって増幅され、ハイパスフィルタ１６によって不要な信号成分が除去された後、出力端子１８に供給される。
【００１５】
チルト回路２は、図１に示すように、入力端子２０を有し、ここに広帯域増幅器１０から増幅されたテレビジョン放送信号が供給される。この入力端子２０は、直流阻止コンデンサ２２を介してＰＩＮダイオード２４のカソードに接続されている。ＰＩＮダイオード２４のアノードは、ＰＩＮダイオード２６のカソードに接続され、アノードは、直流阻止コンデンサ２８を介して出力端子３０に接続されている。ＰＩＮダイオード２４のアノードとＰＩＮダイオード２６のカソードとの接続点は、直流阻止コンデンサ３２を介してＰＩＮダイオード３４のカソードに接続されている。ＰＩＮダイオード３４のアノードはＰＩＮダイオード３６のカソードに接続されている。
【００１６】
ＰＩＮダイオード３６のアノードは、高周波阻止コイル３８を介して可変抵抗器４０の一端に接続され、可変抵抗器４０の他端は、高周波阻止コイル４２を介してＰＩＮダイオード２６のアノードに接続されている。可変抵抗器４０の摺動子には、例えば＋Ｖの直流電圧が供給されている。ＰＩＮダイオード２４のカソードは高周波阻止コイル４４を介して共通電位点、例えば接地電位点に接続されている。ＰＩＮダイオード３４のカソードは、電流制限用抵抗器４６及び高周波阻止コイル４８の直列回路を介して接地電位点に接続されている。また、高周波阻止コイル４８に並列に直流阻止コンデンサ５０が接続されている。
【００１７】
可変抵抗器４０の摺動子から高周波阻止コイル３８、ＰＩＮダイオード３６、３４、電流制限抵抗器４６、高周波阻止コイル４８と電流が流れる。また、可変抵抗器４０の摺動子から高周波阻止コイル４２、ＰＩＮダイオード２６、２４、高周波阻止コイル４４と電流が流れる。ここで、可変抵抗器４０の摺動子を一端側に摺動させると、ＰＩＮダイオード３４、３６に流れる電流が増え、ＰＩＮダイオード２４、２６を流れる電流が減少する。その結果、ＰＩＮダイオード３４、３６の高周波抵抗値が小さく、ＰＩＮダイオード２４、２６の高周波抵抗値が大きくなる。逆に、可変抵抗器４０の摺動子を他端側に摺動させると、ＰＩＮダイオード３４、３６を流れる電流が減少し、ＰＩＮダイオード２４、２６を流れる電流が増加する。その結果、ＰＩＮダイオード３４、３６の高周波抵抗値が増加し、ＰＩＮダイオード２４、２６の高周波抵抗値が減少する。
【００１８】
従って、ＰＩＮダイオード３６のアノードを高周波的に接地電位点に接続して、可変抵抗器４０の摺動子を適切に摺動させることによって、ＰＩＮダイオード２４、２６、３４、３６は、ＰＩＮダイオード２４のカソードを入力側、ＰＩＮダイオード２６のアノードを出力側、ＰＩＮダイオード３６のアノードを共通電位側とする、３端子Ｔ型減衰器５３として動作する。しかも、ＰＩＮダイオード２４、２６の高周波抵抗値が増加したとき、ＰＩＮダイオード３４、３６の高周波抵抗値が減少し、ＰＩＮダイオード２４、２６の高周波抵抗値が減少したとき、ＰＩＮダイオード３４、３６の高周波抵抗値が増加するので、可変減衰器５３は入力側及び出力側それぞれで定インピーダンス型である。
【００１９】
ＰＩＮダイオード３６のアノード、即ち可変減衰器５３の共通電位側は、直流阻止コンデンサ５２及びリアクタンス並列共振手段、例えばＬＣ並列回路５４を介して接地電位点に接続されている。ＬＣ並列共振回路５４は、インダクタンス素子５４ａと、コンデンサ５４ｂとからなる。このＬＣ並列共振回路５４の共振周波数は、テレビジョン放送信号の最も高い周波数となるように設定されている。
【００２０】
従って、ＬＣ並列共振回路５４が共振しているテレビジョン放送信号の最も高い周波数では、ＬＣ並列共振回路５４のインピーダンスが大きく、最も高い周波数のテレビジョン放送信号は、ＰＩＮダイオード２４、２６の高周波抵抗値によってのみ減衰されるだけである。一方、ＬＣ並列共振が共振していないテレビジョン放送信号の最も低い周波数では、ＬＣ並列共振回路５４のインピーダンスは低く、最も低い周波数のテレビジョン放送信号は、ＰＩＮダイオード２４、２６、３４、３６によって減衰される。従って、図３に示すように、最も高い周波数のテレビジョン放送信号の信号レベルが大きく、最も低い周波数のテレビジョン放送信号のレベルが小さくなり、これらの間の周波数のテレビジョン放送信号のレベルは、周波数が低くなるほど小さくなるチルト特性を持つ。ここで、チルト特性は、並列共振回路５４のみによって決定されているので、最も高い周波数から低い周波数の間に別の共振が生じることがなく、チルト特性に窪みが形成されることはない。
【００２１】
ＰＩＮダイオード２４、２６に並列に、抵抗器５６と直流阻止コンデンサ５８との直列回路が接続されている。従って、高周波的には、ＰＩＮダイオード２４、２６に並列に抵抗器５６が接続されている。この抵抗器５６の値を調整することによって、図４に示すようにチルト特性を上下させることができる。例えば抵抗器５６の抵抗値を小さくすると、符号ａに示すようにチルト特性が上昇し、抵抗器５６の抵抗値を大きくすると、符号ｂで示すようにチルト特性が降下する。従って、抵抗器５６の抵抗値を適切に選択することによって、所望のチルト特性とすることができる。なお、所望のチルト特性を得るために固定抵抗器５６を抵抗値の異なるものに交換するのに代えて、可変抵抗器を使用することもできる。
【００２２】
上記の実施の形態では、ＰＩＮダイオードによるＴ型減衰器を使用したが、ＰＩＮダイオードによるπ型減衰器を使用することもできる。この場合、π型減衰器の共通電位点側の２つのＰＩＮダイオードの一端同士を接続し、これを直流阻止コンデンサ５２を介して並列共振回路５４に接続すればよい。また、ＰＩＮダイオードを用いて減衰器を構成したが、可変抵抗器を用いて減衰器を構成してもよい。また、上記の実施の形態では、チルト回路２は、通常の中継増幅器に設けたが、例えば光中継増幅器において、光信号をテレビジョン放送信号に変換して、このテレビジョン放送信号をチルト回路２に供給して、チルト特性を持たせて、増幅器で増幅した後に、光信号に再変換するような使用もできる。
【図面の簡単な説明】
【００２３】
【図１】本発明の一実施形態のチルト回路の回路図である。
【図２】図１のチルト回路を使用した中継増幅器のブロック図である。
【図３】図１のチルト回路の周波数特性図である。
【図４】図１のチルト回路に使用している１つの抵抗器の値の変化による周波数特性の変化を示す図である。
【符号の説明】
【００２４】
５３  可変減衰器（減衰手段）
５４  ＬＣ並列共振回路（リアクタンス並列共振手段）
【図１】
2007049355.tif 000003
【図２】
2007049355.tif 000004
【図３】
2007049355.tif 000005
【図４】
2007049355.tif 000006